(57)【要約】本発明は、基質上に１シートのポリマー材料を設けるステップと、基質の完全性を破壊することなく該シートを複数の粒子内に書き込むステップと、機械読取可能に粒子をコード化するステップと、該粒子を該基質から除去するステップとを包含する、コード化された粒子を製造する方法を提供する。具体的には、基質（１２）上に支持されたプラスチックシート（１０）内の粒子に書き込み、かつ基質（１２）からそれらの粒子を取り除くことによってケミカルもしくは生物学的ライブラリー合成において使用するためのコード化された粒子を製造する。粒子はコンビナトリアル・ケミカルライブラリー合成のための方法において使用できる。
2004501344.tif 000002
【特許請求の範囲】
【請求項１】
基質上に１シートのポリマー材料を設けるステップと、
基質の完全性を破壊することなく該シートを複数の粒子内に書き込むステップと、
機械読取可能に粒子をコード化するステップと、
該粒子を該基質から除去するステップとを包含する、コード化された粒子を製造する方法。
【請求項２】
前記書き込みの間に前記粒子が形態学的にコード化される、請求項１に記載の方法。
【請求項３】
前記粒子が、書き込み後であるが前記基質の除去前にコード化される、請求項１に記載の方法。
【請求項４】
前記シートと前記基質との間の接着が、放射物感受性犠牲層によって作り出され、該層の特性は、粒子を遊離させるために接着強度を低下させるように改変されている、請求項１〜３のいずれかに記載の方法。
【請求項５】
前記粒子がレーザー加工によって書き込みされる、請求項１〜４のいずれかに記載の方法。
【請求項６】
コード化が、各粒子の周縁部の周りでの複数の切替可能な素子の形成を含む、請求項１〜５のいずれかに記載の方法。
【請求項７】
各粒子が、少なくとも１つの読取センス識別子を備えて形成される、請求項１〜６のいずれかに記載の方法。
【請求項８】
前記機械読取可能なコードが、各粒子の構成物質の蛍光をブリーチすることによって形成される、請求項１〜７のいずれかに記載の方法。
【請求項９】
定義されたケミカルライブラリーメンバーまたは生物学的ライブラリーメンバーが、基質の除去前に、それぞれコード化された粒子上に支持されている、請求項１〜８のいずれかに記載の方法。
【請求項１０】
定義されたケミカルライブラリーメンバーまたは生物学的ライブラリーメンバーが、マイクロタイタープレートのウェル内の前記粒子上に適用されるか、または該粒子上で合成される、請求項１〜９のいずれかに記載の方法。
【請求項１１】
定義されたケミカルライブラリーメンバーまたは生物学的ライブラリーメンバーが、前記基質からの前記粒子の遊離後に各粒子上に適用されるか、または各粒子上で合成される、請求項１〜８のいずれかに記載の方法。
【請求項１２】
少なくとも２つの定義されたケミカルライブラリーメンバーが各粒子上に用意され、各該メンバーは、該粒子の上のメンバーもしくはその他の各メンバーによって占られる空間とは離れた、前記粒子上の自己のそれぞれの空間を占める、請求項９〜１１のいずれかに記載の方法。
【発明の詳細な説明】
【０００１】
本発明は、コード化された粒子を製造する方法に関する。係る粒子に対する多数の使用の１つとしては、オリゴマーの配列を識別することである。
【０００２】
広範囲の生化学的および化学的手法においては、既知の長さの（比較的短い）未知のオリゴマーの配列を識別するための要件がある。オリゴマーは、ヌクレオチド（ＲＮＡもしくはＤＮＡ）、アミノ酸（ペプチドおよびタンパク質）、糖類またはその他のオリゴマー化可能な化合物から形成することができる。オリゴマーは、例えば免疫学的検定法において使用される抗体／抗原複合体でさえあってよい。
【０００３】
オリゴヌクレオチドに関して、１つのアプローチは、いくらかのより短い長さのすべての可能性のある（検体）ストランドの存在下で、未知の（標的）ストランドを配置することである。少数の相補的検体ストランドは標的ストランドに結合し、この結合事象は例えば蛍光、電気化学ルミネセンス、化学ルミネセンス、生化学ルミネセンスもしくは燐光のようないずれかの適切な手段によって識別することができる。現行技術においては、検体ストランドは、表面上に空間的に分布している。検体ストランドの配列は、その表面上のその場所でコード化される。このため標的ストランドの同一性は、その表面に関連した結合事象の物理的場所から推論できる。
【０００４】
代替の技術は、物理的に区別可能な小さなビーズに基づく。既知の配列を有する少なくとも１つの検体ストランドは、ビーズに付着したストランド全部が同一配列を有するような様式で、１個のビーズに付着している。この様式で、特定ストランドの配列は、そのストランドが付着している特定ビーズから識別することができる。これらのビーズをその後標的ストランドに暴露させ、標的ストランドといずれかの検体ストランドとの間の結合を、例えば蛍光のような何らかの適切な検出手段を用いて検出することができる。その後、その上で結合事象が生じたビーズを、ビーズのバルクから分離させ、そして標的ストランドの配列を、多数の手段によって、識別可能な、結合した検体ストランドの配列から推定することができる。
【０００５】
機械読取可能なビーズを製造する方法は、ＧＢ−Ａ−２３３４３４７に記載されている。この出願は、下記のステップを備えるコード化された粒子を製造する方法を記載している：
−　シリコンもしくは類似の結晶質または不活性金属もしくは合金のウエハーの表面をフォトレジストポリマーでコーティングするステップ；
−　ウエハーのコーティング面を、粒子サイズおよび／または粒子上のコード部位の位置を定義するフォトリソグラフィー用マスクを通してＵＶ（紫外線）照射に暴露させるステップ；
−　フォトレジストポリマーのＵＶ暴露領域またはＵＶ非暴露領域のいずれかを溶解するか、またはそうでなければ除去するステップ；
−　適切なエッチング剤を用いてウエハーの暴露された領域をエッチングするステップであって、フォトレジストポリマーが、この領域から取り除かれている、ステップ；および
−　粒子を遊離させるステップ。
これらのシステムに共通する１つの困難は、それらを引き続いて識別できるような様式で検体ストランドを製造することである。
【０００６】
ライフサイエンス（コンビナトリアル・ケミストリー、プロテオミクス、ゲノミクス、薬理ゲノミクス）にそのような機械読取可能なビーズを適用するためには、しばしば標識化学物質（例、蛍光体、ルテニウム塩）の添加とともに、適切なリガンド（抗体、抗原、オリゴヌクレオチド等）のいっそうの誘導体化が必要とされる。ポリマーはそのような多数の適用のために望ましい基質を提供し、ビーズはシグナル対ノイズ比を増強する（表面積が大きいほどより多くの分子を結合する手段を提供する）。１〜６０，０００種を超える分子の間のどこかで誘導体化することが必要である、特に高度に複合化されたアッセイ（例、ＤＮＡ塩基配列決定法）についての欠点の１つは、ビーズのコーティングである。例えば、８ヌクレオチド長（８ｍｅｒ）のオリゴヌクレオチド配列において、４ヌクレオチド塩基のあらゆる単一の可能な組み合わせを表すためには、総数を示すために６５，５３６種のビーズが必要になるであろう（４８＝６５，５３６）。ここには２つの問題がある：
−  コーティング手順の実行前、実行中および実行後に多数の小さな（直径が１００ミクロン未満）ビーズを取り扱うこと；
−  ＤＮＡ塩基配列決定のために、必要な配列を構築できること。
【０００７】
この問題を解決するために、コンビナトリアル合成法が開発されてきた。このアプローチには、配列の選択的マスキング／デマスキング法および塩基を付着させるための感光性基の使用が含まれている。これは、回収不能な極めて高額のエンジニアリングコスト（マスク、プロセスの最適化）のために容易にはカスタマイズすることができず、並びにサンプルを含有する検体に付与された平面位相（ｔｏｐｏｌｏｇｙ）を原因とする低いシグナル対ノイズ比および不良な拡散混合を欠点とする複雑かつ費用のかかる方法である。
【０００８】
ＷＯ９７／１５３９０は、ポリマーから、形状コード化された微粒子を製造する概念を開示しているが、しかしこれを実施するための実行可能な方法を提供していない。
【０００９】
本発明は、従来方法に伴うこれらおよびその他の欠点もしくは不利益を克服することを追及する。従って、本発明の第１局面において、下記のステップを備えるコード化された粒子を製造する方法を提供する：
基質上に１シートのポリマー材料を提供するステップ；
基質の完全性を破壊せずに複数の粒子内にそのシートを書き込むステップ；
それらの粒子を機械読取可能にコード化するステップ；および
基質から粒子を取り除くステップ。
【００１０】
機械読取可能なポリマービーズの製造は、いくつかの理由から魅力的である。第１に、それはシリコンビーズより低コスト製造ルートを提供する。第２に、ポリマー（特に、ポリスチレン、ポリイミドおよびポリカーボネート）は、広範囲な種々のリガンドを用いての引き続いての誘導体化のために好ましい基質である。
【００１１】
第２の発明の第２局面において、発明者らは、修正マイクロタイタープレート・フォーマットでコード化された粒子を製造する方法を提供する。
【００１２】
この粒子は、下記にさらに説明する種々の方法によって基質から除去され得る。これらの方法の一部では、基質は、それらから粒子を除去するために破壊される犠牲基質である。
【００１３】
犠牲基質から除去する前に、ケミカルライブラリーのメンバーがビーズもしくは粒子上に配置される場合、ビーズを遊離しかつ犠牲層を破壊するために使用される方法は、付着した分子を損傷させてはならない。これは特に生物学的分子に当てはまり、水およびマイクロタイタープレートの両方のフォーマットに適合する。どちらの場合にも、ビーズは犠牲基質の完全性を破壊することによって遊離させることができる。ＳＰＬＯＲ３０Ｂの層が存在する場所では（下記で記載するように）、これを実行する１つの方法は、偶然アルカリ性となるＳＰＬＯＲ３０Ｂのために開発された専売顕色剤液を使用することである。
【００１４】
このアルカリ性物質はすべての生物学的分子にとって適切ではない可能性があるので、このため個々のビーズ構造を遊離する前に、基質に生物学的分子を付着させることを可能とするように他の犠牲層を使用してもよい。
【００１５】
犠牲層は、ポリオレフィン（例、ポリエチレン）であり得、溶媒もしくは水に可溶性であってもよい。犠牲層はさらにまた、ゼラチンのように温度感受性であってもｐＨ感受性であってもよい。
【００１６】
ビーズがウエハーの上にあろうとマイクロタイターの上にあろうと、ビーズは、例えば静かに機械的に攪拌したり、キャビテーションによって基質からビーズを遊離させたりするために指向された超音波エネルギービームのような、機械的エネルギーを使用して、除去することができる。超音波エネルギーのためのカップリング媒質は、例えば水もしくは溶媒のような生体適合性の流体であってよい。
【００１７】
犠牲層は揺変性材料であってよい、つまり、平衡状態では剛性であってビーズを適所に保持する。超音波剪断波がこの層に指向されると、材料はその剛性を消失し、従ってビーズが遊離されるのを可能にするように流動し始める。
【００１８】
犠牲層は、室温でその層がビーズを適所に保持するような特性を有していてよい。例えば液体窒素の噴出を使用してウエハーが凍結される場合は、犠牲層が凍結し、そして極めて脆弱となり、ビーズが遊離される。
【００１９】
犠牲層は例えばＵＶのような放射物に感受性であってよく、これは明らかにＵＶ透過性の基質において機能する。水形態の場合には、下記の実施例では基質としてシリコンが使用されているが、ＵＶエネルギーがフィルム／ビーズ界面を通過することを可能とするいずれかの類似のフラットな基質（例えばフラットな水晶ウエハー）を使用することができる。
【００２０】
ビーズを付着および遊離させるための別の技術は、例えばフラットな固体構造上に支持されたポリイミドのような固体ウエハーもしくは可撓性の回路材料のいずれかの上に、個別に指定可能な電極の使用を含んでいる。ビーズは電極上で製造され、静電引力によって基質へ付着したまま保持される。
【００２１】
単純かつフラットな電極の代わりに、上記の観念は、基質からビーズを持ち上げて橋かけ（架橋）を破壊する電極の場所でＭＥＭＳ（マイクロ・エレクトロ・メカニカル・システム）用カンチレバーを含むように拡張することができる。
【００２２】
ビーズは、それらの間に細い橋かけ（架橋）を含むように（プラスチックの射出成形パーツがスプルーへ取り付けられる様式に極めて類似する）製造できる。これらの橋かけ（架橋）はＧＭＳ（巨大磁気ひずみ）材料のピラーの上に位置していてよい。活性化させる場合、ＧＭＳ材料の支柱は橋かけ（架橋）を取り除き、ビーズを自由にする。細い橋かけ（架橋）は様々な方法で破壊することがでる。粒子は、すべてにおいて、スプルーの片方の端を引っ張ると全部のビーズを懸濁液中に「打ち砕く（ｕｎｚｉｐｓ）」ような様式で連結できる。橋かけ（架橋）はさらにまた、例えばＮｄ：ＹＡＧまたは二酸化炭素レーザーによるレーザー切断によって破壊することもできる。
【００２３】
ウエハー中にビーズのサイズに適合する孔を備えたそのウエハー上には、ＳＵ−８もしくは他のポリマーレジストをスピニング（ｓｐｉｎ）することができる。これは、ビーズが製造されるとそれらが孔の上に収まることを保証する。ビーズを遊離させることが必要になる場合、細いピンがビーズをウエハーから押し出す、または空気の噴出がビーズを基質から懸濁媒質内へ吹き出す。液状ポリマーの表面張力は、液状ポリマーが孔に流れ落ちないように選択される。
【００２４】
ビーズは、レジストもしくは適切なコーティングのいずれかを用いて、磁性粒子を添加することによって磁性にすることができる。ビーズが遊離されると、それらは分離され、外部磁場の影響を通して収集できる。これはビーズの取り扱いに有益である。
【００２５】
ビーズには、書き込み（ｄｅｌｉｎｅａｔｉｏｎ）中もしくは書き込み後に例えばフッ化物のような閃光物質を添加することができる。溶液中の放射活性標識リガンドと閃光物質との結合事象は、閃光の検出によって検出される。
【００２６】
粒子は、１ｍｍ以下、好ましくは５００μｍ以下、より好ましくは２５０μｍ以下の最高寸法を有する微粒子である。第２寸法、および必要に応じて第３寸法では、そのような微粒子は好ましくは１００μｍ以下、より好ましくは５０μｍ以下、例えば２５μｍ以下の微粒子である。
【００２７】
粒子は、例えばプレート状もしくは円板状のような任意の形状の粒子であってよいが、バー状もしくはロッド状の粒子が好ましい。
【００２８】
バイナリーコードとして、例えば１マーク当たり２０μｍのようなピッチで少なくとも３２，０００個の相違する粒子を別々にコード化できるマーキングのための空間（ｒｏｏｍ）を提供するために、粒子は、それらの最大寸法として少なくとも５０μｍ、より好ましくは少なくとも１００μｍのサイズを有しているのが好ましい。このため１００μｍから２５０μｍの範囲内のサイズの粒子が好ましい。しかし、１ライブラリーの粒子が３２，０００個という多数の相違するコード化された粒子を含有していなくてもよく、したがってより少ないマーカーコード素子しか有することのできない粒子もやはり有用である。例えば、およそ４，０００個の粒子を含むライブラリーはたった１２個のコード素子によってコード化できる。
【００２９】
マーキングは各粒子の少なくとも２辺に沿って形成することができる。
粒子は書き込みプロセス中に形態学的にコード化できるので、粒子の全体形状が定義されると、各粒子にそれの機械読取可能なコードを提供する三次元特徴のパターンも定義される。
【００３０】
あるいはまた、粒子は、形態学的にかまたはさもなければそれらの全体形状の書き込み後であるが基質からの分離前のどちらかでコード化され得る。
【００３１】
コード化の非形態学的方法には、選択的な領域ブリーチ（ｂｌｅａｃｈ）、あるいは単色もしくは多色または蛍光性もしくは燐光性であり得るインク、塗料もしくは染料の適用が含まれる。
【００３２】
それらの上で書き込みプロセスによって粒子が形成される基質は、それらから粒子が除去されたときに廃棄される、ウエハーのような使い捨て部材であってよいし、基質は、下記でより詳細に説明するようにその中で粒子が引続いて使用されるマイクロタイタープレートのベースプレートのような装置の構造部分を形成する部材であってもよい。
【００３３】
本発明の好ましい実施においては、基質は基層および犠牲層を備え、犠牲層の上に粒子内へ書き込みのためのポリマー材料のシートが運ばれる。次いで、粒子はその後犠牲層への粒子の接着の破壊によって遊離される。これは、ＵＶもしくは他の放射物または溶媒溶解のような他の手段によって粒子を遊離させるように実施されてよい。
【００３４】
粒子は、好ましくはフォトレジストポリマー内で形成され、粒子の縁輪郭を定義するマスクを介して光線を適用することによってその中に書き込まれる。あるいはまた、それらはレーザー加工によって書き込まれてもよい。
【００３５】
微粒子に適用されるコード化は、例えば粒子の縁に沿ってバイナリー特徴の配列から構成することができる。各粒子には、１種以上のコード特徴が提供され得、この特徴は、読取センス識別子として役立つ、即ちバイナリー特徴の配列が読み取られることのできる方向を示す。
【００３６】
あるいはまた、バイナリー特徴の配列は、いずれの方向で配列が読み取られても粒子識別においてエラーが導入されないような配列であってよい。これは、後方向への読取りが他のいずれの粒子の配列にも適合しないときに前方向に読み取る配列だけを使用することによって達成できる。従って例えば、１個のビーズが配列１１１０１を有している場合は、配列１０１１１を有するビーズは存在しないであろう。望ましい場合は、逆配列（即ち、この例では１０１１１）のビーズが存在することができ、配列を読み取るために使用されるリーダーがそれらを同一と見なすようにプログラミングすることができる。
【００３７】
必要に応じて、ビーズのコード化は、コードの読み違えを排除するのに役立つようにパリティルールに共される。従って、コード化は、全部のコードにおいて１の個数が偶数であるようであってよい。また別のパリティコード化スキームでは、すべてのコードにおいて、１の個数が奇数である、すなわち、０の個数が偶数もしくは奇数を有している。これは、１ビットが読み違えられた場合に生じた結果が無意味なコードとなり、その読取りを放棄できることを意味する。
【００３８】
コード化された粒子は、コンビナトリアル・ケミストリー関連適用における使用には限定せずに、種々の目的に使用できる。従って、例えばそれらは多数の種類の製品内に組み込むことによって追跡可能なマーキングコードを提供するために使用できる。特定コードを有する粒子は、例えば自動車もしくはその他の高価値品目のような、追跡可能にすることが必要とされる製品に適用される塗料内に添加することができる。それらはバッチ番号記録として機能するために油、潤滑油、自動変速装置潤滑剤、制御油もしくは化学物質のような１バッチ毎の材料に組み込むことができる。粒子上のコードは、製造日もしくは予定交換日のような日付情報をコードすることができる。
【００３９】
それらはさらにまた当然ながら、コンビナトリアル・ケミカルライブラリーを形成する際の基質として使用することもでき、ここにおいて、極めて多数の化学的に別個の材料は、それぞれの粒子もしくは粒子の部分に配置されている。これらは、モノマー単位の配列において１つが別のものと相違するオリゴマー化合物であってよく、このオリゴマー化合物は、例えば核酸もしくはそれらのアナログ（ＤＮＡ、ＲＮＡ、ＰＮＡおよびその他の改質バックボーン核酸アナログもしくはそれらのハイブリッドを含む）、タンパク質、ポリペプチドもしくはペプチド、およびオリゴ糖などである。
【００４０】
一般に、そのライブラリーの化合物は、最初に合成されてその後にそれらの粒子に結合されてもよく、粒子上で段階的に合成されてもよい。いずれの方法においても、化合物の付着中には、粒子は、まだ基質の上で粒子が書き込まれた基質に付着していても、またはそれらから遊離されてしまっていてもよい。
【００４１】
一般に、ケミカルライブラリーでは、特定コードを有している各粒子は、化合物のライブラリーの既知の１つを有していることが意図されている。
【００４２】
特にライブラリー中にある化学物質の数が多く、さらに粒子が小さい場合でさえ、粒子の全ライブラリーに採用される量は、取り扱いの容易さのためには望ましくなく大きい可能性がある。原理的には、使用される粒子材料の量は、各粒子をより小さくすることによって減らすことができる。しかし、粒子を識別する際に生じる可能性がある困難さを含むさらに様々な理由のために、粒子のサイズを低下させることは望ましくない可能性がある。
【００４３】
そこで、本発明に従う粒子は、各々が少なくとも第１ゾーンおよび第２ゾーンを有する粒子を備えるケミカルライブラリーにおいて使用することができ、上記各ゾーンはその上に上記ライブラリーの各ケミカルメンバーを有しており、各粒子は、その粒子を識別するために役立ち、粒子の上記ゾーンを識別するために役立ち、さらにそれによって任意の選択されたゾーン上のライブラリーのケミカルメンバーを識別するために役立つマーキングを有している。
【００４４】
ライブラリー内にある一種を超える化学物質に対して各粒子を使用するが、各化学物質を粒子上のその読取可能な位置に従って個別に識別できるようにその粒子をマーキングすることによって、特定数の化学物質を含有するライブラリーに必要とされる粒子の数は、少なくとも半分にすることができる。
【００４５】
あるいはまた、所定数の粒子およびその上に支持される所定数のケミカルライブラリーメンバーに対しては、任意の特定ケミカルメンバーが遭遇できる粒子ライブラリー内の物理的場所の数を増加させることができる。例えば、ＧＢ−Ａ−２３３４３４７に従ったライブラリーが、ｎ個の化合物を有するｎ個の粒子（１粒子当たり１化合物）からなる場合は、各化合物はそのライブラリーを構成する粒子の集団内の１つの場所でしか出会うことができない。しかし、本発明に従って各粒子上に２種の化合物が存在する場合は、粒子材料の量またはライブラリー内の各化合物の量を増加させずに、各化合物に２つの別個の場所で出会うことを可能にする。従ってライブラリーとの反応に必要な時間を減らすことができる。
【００４６】
原理的には、任意の形状の粒子を使用できる。例えば、粒子は、各ケミカルライブラリーメンバーによって占められたゾーンを備えた円板形であってよく、このライブラリーメンバーは、扇形であって各ゾーンの同一性をマーキングするために周縁部の周り（周辺）での１つ以上の位置にノッチ（切り欠き）もしくは他の類似のマークがある。いかに多数の扇形を使用しても、それに関する各位置に従って、任意の扇形を単一マークに対して位置付けできるので、そのような周縁部マークは１つで十分であろう。
【００４７】
しかし好ましくは、各粒子は第１端および第２端を有するロッド状もしくはバー状の形状であり、前記第１ゾーンは前記第１端もしくはその近くの場所から伸びて配置され、前記第２ゾーンは前記第２端もしくはその近くの場所から伸びて配置される。
【００４８】
各粒子は、その粒子を識別するために役立つマーキングおよびその粒子の第１端もしくは第２端を識別するために役立つ端マーカーを有することができる。
【００４９】
マーキングは、例えばピット（窪み）、グルーブ（溝）、ノッチ（切り欠き）もしくはバンプ（隆起）などの形状で形成することができる。それらはさらにまた、例えば印刷によって表面マーキングとして適用できるバーもしくはスポットのような蛍光または多色もしくは単色マーキングとして形成することもできる。
【００５０】
本発明は、上記で説明したような書き込んで付着させられた粒子を有する１シートの基質材料を提供するステップ、（ａ）各粒子が、各々が前記ケミカルライブラリーメンバーの異なる１つを有している前記空間ゾーンの少なくとも２つを含むように、基質材料上の前記粒子の表面上に既知の各空間ゾーンで選択されたケミカルライブラリーメンバーの沈着を形成するステップ、を包含するケミカルライブラリーを製造する方法を含んでおり、各粒子はその粒子を識別しかつ前記ゾーンに対して前記粒子の配向を示すコードでマーキングされ、各前記ゾーンが個別に識別されることを可能にする。
【００５１】
用語「ケミカルライブラリー」は「生物学的ライブラリー」を含んでいる。
しかし、粒子書き込み方法に依存して、ライブラリーのケミカルメンバーの沈着は粒子識別マークの形成に先行して実施されても後で実施されてもよい。
【００５２】
ライブラリーのケミカルメンバーは、オリゴヌクレオチドもしくはペプチドなどのオリゴマー化合物であってよく、ここで、限定された範囲の化学的に関連する化合物から選択されたモノマー単位は、そのオリゴマーを特徴付ける配列で配置されている。それらは、おそらくいくつかの共通構造または実際的もしくは潜在的特性によってそのライブラリーの他のメンバーと関連している非オリゴマー化合物であってもよい。化合物は複合構造の化合物であってよく、例えば抗体もしくは他の生体分子であってよい。
【００５３】
ライブラリーの化合物は、前合成されてその後粒子上に置かれてもよく、粒子表面上で合成されてもよい。化合物は、粒子の表面に化学的に結合されていてもよく、その上に物理的に吸収されていてもよい。粒子は多孔性であってよく、ライブラリーの化合物はそのような構造の孔内に存在していてよいが、化合物は粒子の表面上に存在するのが好ましい。
【００５４】
ビーズはいずれかの適切な形状のビーズであってよい。好ましくは、ビーズは薄い、典型的には厚さ２５μｍの、長さ２５０μｍおよび幅４０μｍの長方形であるように設計される。
【００５５】
一旦オリゴマーもしくはその他の化合物がビーズに適用されると、例えばフローサイトメトリーを使用して個々のグループのビーズを遊離させ、かつ処理することができる。長方形のビーズを用いると、長い縦横比はフローセル内での良好な混合を容易にし、それによって検体オリゴヌクレオチドの塩基の、相補的標的配列上への有効な結合を促進する。
【００５６】
各ビーズは、それに独自のコードを与えるためにその周縁部の周りに定義された特徴を有することができる。下記で考察する構造的実施形態は、９６ウェルを有する現行マイクロタイタープレートと適合するように設計されているが、上記の技術はもっと大きなウェルサイズにも同等に適用可能である。そのような寸法では、各３．５ｍｍ四方のウェルは容易に１００×４０（もしくは４，０００）個のビーズのアレイを含有することができる。その場合には、市販の９６ウェル構造内で定義されるビーズの総数はほぼ３８４，０００の領域になる。
【００５７】
例示すると、２５０μｍビーズは、２つのゾーンに区別された上面を有することができ、１つは第１ケミカルライブラリーメンバー（生体分子１）を有し、もう１つは第２ケミカルライブラリーメンバー（生体分子２）を有する。粒子の一方の端には他方の端での同様の構成より長いステムを有するＴ形のヘッドで提供され、その結果として両端を区別することができる。ライブラリーメンバーの存在は、粒子の長い辺がどちらであるかに関してのあいまい性を取り除くために、それ自体がいずれが上面であるかを識別するマーカーとして機能することができる。あるいはまた、粒子の１つの長い辺縁を識別するために役立つように、別のコードマーカーを用意することもできる。
【００５８】
そのようなビーズのライブラリー内で特定ビーズ上の適合性化合物に結合できる、もしくはそれと反応できる試験化合物への暴露後には、ビーズをスクリーニングしてどのビーズの上でそしてそのビーズのどちらの端で結合もしくはその他の反応が発生しているのかを識別することができる。これはウェルからビーズを除去し、それらに適切なフローシステムを通過させて検出器へ運ぶことによって実施でき、そこで１個ずつが検査される。適切な反応が検出されると、ビーズのコードが読み取られて反応しているライブラリー化合物が識別される。
【００５９】
必要に応じて、本発明に従った方法によって使用されるためであろうと、さもなければ製造されるためであろうと、１ライブラリーの粒子中の各粒子は、前記機械読取可能コードから構成されるマーキングを定義するために、選択された場所で選択的にブリーチ（ｂｌｅａｃｈ）されている蛍光物質を含むことができる。
【００６０】
蛍光物質は、それらの粒子を構成するポリマーであっても、またはそのようなポリマーに塗布された材料の層であってもよい。蛍光物質は、例えばレーザーからの十分な強度の光線エネルギーの適用によって局所的にブリーチされてよい。ブリーチされたスポットもしくはバーのパターンは、バイナリーコードを構成するように形成できる。あるいはまた、バイナリーコードを構成するスポットもしくはバーのパターン以外の粒子の全領域をブリーチすることもできる。
【００６１】
レーザーブリーチ作業は、本明細書中に記載されるレーザー切断もしくは加工作業の代わりに実施できるが、光活性化もしくは溶剤活性化遊離ポリマー層によって、粒子は基質上に保持される。粒子間の分割は、レーザー切断法またはフォトリソグラフによって行うことができる。例えば、光活性化可能なポリマー遊離材料によって基質上に支持されたフォトリソグラフィック・フォトレジストポリマーを暴露させるためには多数の微粒子を定義するマスクを使用できる。フォトレジストはその後、チャンネルを作製するために溶剤を用いて現像され、そのチャンネルを通して上記のように遊離可能な粒子を区別することができる。これらはレーザーもしくは他の光源を使用してコードマークを形成するためにブリーチすることができる。そしてその後、必要に応じてケミカルライブラリーを適用して粒子を遊離させることができる。遊離した粒子はさらに本明細書中に記載する方法のいずれかによって加工することができる。
【００６２】
望ましい場合は、粒子は各々少なくとも第１ゾーンおよび第２ゾーンを有することができ、各前記ゾーンはその上に前記ライブラリーの各ケミカルメンバーを有しており、各粒子はその粒子を識別するために役立ち、かつ粒子の前記ゾーンを識別するのに役立つマーキングを有しており、それによっていずれかの選択されたゾーン上のライブラリーのケミカルメンバーを識別する。
【００６３】
原理的には、あらゆる形状の粒子を使用できる。例えば、粒子は周縁部の周りの１ヵ所以上の位置でコードされているブリーチされたマークを備えた円板形であってよい。
【００６４】
しかし好ましくは、各粒子は各長縁に沿って形成された、ブリーチされたコードマークを有するロッド状もしくはバー状の粒子である。
【００６５】
各粒子は粒子を識別するために役立つマーキングおよび粒子の第１端もしくは第２端を識別するために役立つ１個もしくは複数の端マーカーを有することができる。
【００６６】
粒子は、好ましくは本明細書中に記載されたサイズの粒子である。
マーキングは各粒子の少なくとも２辺に沿って形成することができる。
【００６７】
１ライブラリーのケミカルメンバーの沈着は、粒子を識別するマークの形成および連続シートの個別粒子への分割に先行して実施されても後に実施されてもよい。
【００６８】
１ライブラリーのケミカルメンバーは上記のようなメンバーであってよい。
ライブラリーの化合物は、前合成されてその後で粒子上に配置されても、または粒子表面上で合成されてもよい。化合物は粒子の表面に化学的に結合されていても、またはその上に物理的に吸収されていてもよい。粒子は多孔性であってよく、ライブラリーの化合物はそのような構造の孔内に存在していてよいが、化合物が粒子の表面上に存在することが好ましい。
【００６９】
本発明に従って製造されたケミカルライブラリーは、ケミカルライブラリーが薬物発見アッセイ、ＤＮＡ塩基配列決定法、免疫測定法およびコンビナトリアルケミストリーを含む過去において使用されてきた、または使用するために提案されてきた数種の分野のいずれかで使用することができる。
【００７０】
それによって化学分子を粒子またはビーズに付着させることのできる３つの主要なルートが存在する。そのような分子にはＤＮＡ、ＲＮＡ、ＰＮＡ、抗体、抗原、タンパク質、ペプチド、リガンド、ウイルス粒子、ファージ、細胞、化合物等が含まれる。分子はビーズに付着させることができるが、それらはまだ基質上にあってよい、または付着はビーズが遊離された後に行うこともできる。どちらにせよ、ビーズを製造するために使用される材料およびプロセスは、望ましくはこれらの少なくとも１種以上、好ましくは３種全部のルートと適合性である。下記では３種のルートについて詳細に説明する。
【００７１】
第１ルートでは、単離もしくは前合成された生体分子が個別ポリマービーズに直接に付着させられる。付着のプロセス中には、ビーズはまだウエハー上にある。付着後、ビーズは遊離される。第２ルートでは、ビーズはウエハーから遊離させられ、コードが連続的であるように別々の容器内に貯蔵される。各容器は複数の同一コードのビーズを含んでいる。その後あらかじめ作られた最適のオリゴマーがビーズに直接結合させられる。相違するオリゴマーを有する相違する容器からのビーズがその後、下流分析のために混合させられる。第３方法では、ビーズは基質からキャリア液内に遊離され、続いて、化学的構築ブロックと混合される。あるいはまた、ビーズはまだ基質上にあり、オリゴマーがビーズ上で連続的かつ段階的方法で構築される。このルートの長所は、取り扱いが少なくてすむこと、１つの基質を超えて相違する分子を直接に構成できること、そして比較的少ないステップで多数のオリゴマーを用意できることにある。
【００７２】
粒子もしくはビーズ上のコードを読み取る４種の好ましい方法は下記の通りである：
適切な波長のレーザー光線の出力を、その光線を薄い扇形の光線に転換する光学素子を通過させる。フローセルを通って流れるビーズ内のノッチが光線を遮断する。前方散乱エネルギーを検出するためには、センサーを入射エネルギーに沿ってビーズを超えて置くことができる。このセンサーの出力はその上にあるエネルギー量に従って変動する。前方散乱エネルギーの場合は、ノッチはエネルギーが検出器に到達することを妨害し、ノッチ間の溝はエネルギーが検出器に到達することを可能にする。前方散乱信号もしくは側方散乱信号のどちらか、またはこれらの信号の組み合わせを使用するとビーズ上のコードを推論することができる。
【００７３】
また別の実施形態では、コードを形成するメタリックストライプを備えた長方形ポリマービーズを製造することができる。使用できる典型的な金属はニッケル−クロム、チタンおよび金である。ビーズを上記のシステムと結び付けて使用すると、レーザー光線は非金属領域に強力に吸収され、金属領域では強度に反射される。吸収もしくは反射された出力はコードを表している。
【００７４】
第２の方法では、高速イメージングカメラがビーズの全二次元画像を捕捉する。ビーズ上のコードは、捕捉された二次元画像を市販の画像解析用ソフトウエアに共することによって推定できる。１つの代替法は、ビーズが固定カメラを通過するという事実を利用して、一次元ラインスキャンを高速に捕捉する方法である。従って、完全な二次元パターンは、一連のこれらの一次元ラインスキャンを追加することによって構築され、上記の通りに分析される。
【００７５】
第３の方法では、多重画像分析法が使用される。これは特にマイクロタイタープレートフォーマットにとって重要である。ビーズがウェル内にある間に、ウェルのスナップショットを作製し、画像をオフラインで解析するために多数のビーズを画像描出する必要がある。
【００７６】
第４の方法では、ビーズの自然蛍光を使用する。一定波長の光線がビーズの上に入射したときに蛍光を発するポリマービーズを製造することができ、第１読取法に従って上記で略述したシステムにおいては、この波長は入射レーザーの波長である。この特性を使用して、蛍光検出器を用いてビーズ上のコードを読み取ることができる。下記でより詳細に説明するように、ビーズの周縁部の周り（周辺）にノッチ（切り欠き）を形成することによってコード化する代わりに、ビーズの固有の蛍光またはビーズの上に付着された他の物質の蛍光のいずれかを利用することによって、同一コードを単純な長方形の周縁部を備えたビーズ上に描記することができる。すべての場合において、材料は例えばレーザーのような十分な強度の光線エネルギーへ暴露させることによって局所的にブリーチする。相違する暴露セットアップは、下記の非網羅的リストに挙げたように形成された種々のタイプのコードを生じる：
最も基本的な方法は、ビーズ上にコードを直接書き込むための、高度に集束したレーザー光を使用することである。
【００７７】
さらにまた、暴露源として干渉計システムを使用することもできる。これらのシステムは、従来からホログラムの製造に使用されている。
【００７８】
コードを作製する別の方法は、レーザー光を、１つは固定されていて、他方は小さな区切り（ｉｎｃｒｅｍｅｎｔ）を通って回転している２つの回折格子を通してレーザー光を通過させる方法である。結果として生じる回折パターンは、割り当てられたコードである。
【００７９】
下記に説明する技術は、ポリマー材料内の取扱いの容易な個別粒子（あるいはまた、ビーズと呼ばれる）のアレイを製造することができる。インクジェット・プリンタータイプのシステムを使用して、ビーズの上面に、ヌクレオチドなどのモノマーを印刷することができる。ビーズは任意の適切な形状のものであってよい。好ましくは、ビーズは薄い、典型的には厚さが２５μｍの、典型的長さが２５０μｍおよび幅が４０μｍの長方形の形状を有するように設計される。
【００８０】
一旦、モノマーがビーズに適用されると、例えばフローサイトメトリーを用いて個別のグループのビーズを遊離させて処理することができる。長方形のビーズを用いると、長い縦横比はフローセル内での良好な混合を容易にさせ、それによって元の配列上に塩基が有効に結合することを促進する。
【００８１】
各ビーズは、それに独自のコードを付与するために、その周縁部の周りに定義された特徴を有することができる。下記で考察する構造的実施形態は、９６ウェルを有する現行マイクロタイタープレートと適合するように設計されているが、上記の技術はより大きくまたはより小さいウェルサイズまたはウェル数にも同等に適用可能である。そのような寸法では、各３．５ｍｍ四方のウェルは容易に１００×４０（もしくは４，０００）個のビーズのアレイを含有することができる。市販の９６ウェル構造内で定義されるビーズの総数は、その場合にはほぼ３８４，０００になる。
【００８２】
図１によって描出された本発明の実施形態において、例えば厚さが２０もしくは２５μｍのポリエステルもしくはポリカーボネートである１シートのプラスチック材料１０が、ＵＶ遊離性材料である特異的特性を有する別のプラスチックシート１２（例えば、厚さ１３０ミクロンのフルカワ［Ｆｕｒｕｋａｗａ］ＵＶテープ−ＳＰシリーズ）の上に配置される。これら２枚のシートは、すべての空気溝を排除できるように一方が他方の上に配置される。
【００８３】
このサンドイッチ構造は、レーザーミクロ機械加工システムのｘ−ｙステージ上に位置決めされたフラットな表面の真空チャック上に置かれる。好ましくは、レーザーシステムは、ガルバノメーター・スキャンヘッドを備えた二酸化炭素レーザーシステムである。
【００８４】
典型的なガルバノメーター走査範囲は、約５０ｍｍ×５０ｍｍの範囲であり、典型的には１秒当たり５００種の特徴が加工される。現行システムは４〜５ビットのコードシステムを有している。この概念は、例えば必要に応じてスイッチをオンまたはオフにできる１８個の「素子」１４の製作を通して、１８ビットコードシステムの使用を可能にする（図２）。素子幅が１０μｍ、そして素子間間隔が１０ミクロンのであることが、ここで考察される。全部の素子が同一辺上に定義される場合は、ビーズの全長は最適より長いと考えられる５００μｍよりちょっと下である。この長さは、素子を両方の辺上で定義すれば２５０μｍに減少させることができる。次いで、読取装置は、例えばビーズがサッとひっくり返ったときなどにコードの不正確な読取りが発生するであろうから、ビーズの読取センスに関連する情報を必要とする。しかし、ここでは読取センスのすべての組み合わせに対してビーズ上にさらに２種の特徴１５、１７を追加する技術が考案されている。
【００８５】
各辺上において２０μｍのピッチおよび９個の素子を考慮に入れると、ビーズの長さは容認可能な約２５０μｍである。図２には１８ビットビーズの例が示されている。
【００８６】
レーザーのピーク出力は、プラスチック材料１０がその全長に渡って１６で切断されているが、ＵＶ感受性テープ１２には数μｍずつ端に「刻み目が付ついている」だけでどう見てもほとんど無傷となるように調整される。図３は、ＵＶ剥離層の完全性が実質的に影響を受けていないことを示している。これは、すべての実施形態について好ましい。
【００８７】
機械加工サンドイッチは真空チャックから取り外され、１ウェル当たり約４，０００個のビーズを提供するために従来型９６ウェルマイクロプレート２４の最下層プレート１８（図４）上に配置される。一般に、射出成形によって一体型で製造されるプレートと、穿孔された上方プレート２６に超音波溶接されているフラットなベースプレートを備えた２つのパーツで製造されるプレートとがある。本実施形態では、ヌクレオチドもしくはオリゴヌクレオチド２０は、上方プレートの取り付け前にベースプレート上に保持された粒子の表面に適用される。
【００８８】
マイクロタイタープレートの上方プレートは、ここではベースプレートの上に配置され、レーザー加工プラスチック粒子層を、生じたウェル２２内に封入する。結果として生じたマイクロタイタープレートは図５および６に描出されている。
【００８９】
次のステップは、１つの作業で１グループのビーズ（正確な数は重要ではない）を取り除き、それらをフローシステムの緩衝液内で処理するステップである。
【００９０】
第１ステップは、ＵＶテープと特定グループのビーズ間との界面で接着特性を局所的に破壊するステップである。（現在利用可能な）ＵＶテープの接着強度の典型的な数値は、ＵＶ照射前は２．５Ｎ／２５ｍｍであり、ＵＶ照射後は０．０５／２５ｍｍである。これを実行するために必要とされる典型的なＵＶ線量は、１，０００ｍＪ／ｃｍ２のオーダーである。この実施形態では、例えば１パルス当たりこの振幅タイプのエネルギーを送達するパルスレーザー光線のようなＵＶ源３０が、精密ｘ−ｙステージ上に配置され、そのエネルギーをマイクロタイタープレートの下方から送達する。必要量のエネルギーが、特定グループのビーズに送達されると、第２の課題はその特定グループのビーズを除去するステップである。
【００９１】
ビーズを除去するプロセスは、ＤＮＡ塩基を含有する上面を損傷させてはならない。これを実行する１つの方法は、内径範囲が例えば２００〜５００ミクロンを備えたフラットな精密接地中空針または真空ピックアップ３２を使用するステップである。アパーチャーは、マイクロポーラスメンブレンを用いてブロックできよう。この概念は、この針を精密ｘ−ｙステージに取り付け、ウェル内で４，０００個のビーズの集団に先端を向けさせるためである。除去手順は図７に示されている。
【００９２】
望ましい場合には、基質は多孔性であってよく、粒子の使用中にはフィルターとして機能することができる。従って、例えば、粒子を形成するためのプラスチック層は、セルロース・アセテート・ナイロンもしくはポリエーテルスルホンなどの多孔性基質の表面上の犠牲プラスチックを覆ってコーティングされてよい。ビーズの書き込みおよび粒子へのケミカルライブラリーメンバーの適用後に、マイクロタイタープレートを形成するために穿孔プレートを貼付することができる。粒子にアッセイ用試薬が添加された後もしくは前に、それらはプレートウェル内で遊離させることができる。これらのプロセスにおける液体の各添加後に、廃液はフィルター材料を通して回収することができる。特に、犠牲層がウェル内で粒子を遊離させるための溶剤添加によって破壊される場合は、廃溶剤は、粒子がそれらのウェル内に保持されるようにフィルター／基質を介して吸い取られてもよい。
【００９３】
本発明は、空間的に定義された機械読取可能なコードを有するビーズの製造をもたらす。各々独自のコードを有する１種もしくは数種のビーズが存在してよい。現行のシリコンをベースとするシステムには、低いシグナル対ノイズ比および混合中の不良な拡散を含む幾つかの欠点がある。本発明を使用することによって、１ウェル内のそのような多数のビーズから入手される結果は、ＤＮＡ塩基配列決定においてより高度な信頼性をもたらすであろう。良好な混合を保証するために、１ウェル内で計４，０００個までのビーズがフローシステム内へ通過することができる。
【００９４】
必要に応じて、マイクロエッチングプロセスもしくは電解研磨プロセスによって望ましい表面仕上げを作製することができる。機能層は電着法および／またはパッシベーションで適用できる。
【００９５】
生物層は、インクジェット印刷によってポリマーシート上に直接「パターン付け」することができる。オリゴマーは、モノマーの直接インクジェット印刷によって構築することができるので、従って試薬廃液およびビーズ取扱いに関連する問題が減少する。このプロセスは、特にオリゴヌクレオチドの製造に適用できる。
【００９６】
ここで、ポリマーベースの微粒子を作製するための、代替の製造方法について説明する。
【００９７】
好ましくは、この方法において、後に続くステップのための基質として、シリコンウエハーを使用するが、当業者であれば、上記のような多孔性基質を含むあらゆるフラットな基質を使用できることは理解できる。シリコンウエハーを洗浄して焼き付け、その後犠牲層として機能する厚さ約３μｍのフォトレジストを基質の表面上にスピニングする。このステップのために適切なフォトレジストの典型的な例は、マサチューセッツ州に所在のするマイクロケム・コーポレーション（ＭｉｃｒｏＣｈｅｍ  Ｃｏｒｐｏｒａｔｉｏｎ）から入手可能なＳＰＯＬＲ３０Ｂである。
【００９８】
このサブアッセンブリーをその後、スピニングによってさらなるフォトレジスト層を適用する前に焼き付ける。第２フォトレジスト層は、厚さが約２０μｍであり、例えば同様に上記のマイクロケム・コーポレーションから入手できるＳＵ８−２５などの化学的に増幅させたネガフォトレジストである。これはその後製造業者の取扱説明書に従って暴露前焼付けに共される。その後、エッチングされたクロム・オン・ガラス製マスクをＳＵ８層の上方に位置付け、さらにＵＶ暴露ツールもしくは同様の励起装置を使用して暴露させる。暴露後の焼き付けは、同様に製造業者の取扱説明書に従って実施し、暴露させた物質は、その後基質ウエハー上に開存性のアレイもしくは輪郭形成された微粒子を残すように適切な顕色剤を用いて現像する。
【００９９】
上記のように、微粒子はウエハーから遊離させる前またはそれに引続いて機能化させることができる。遊離は、ＳＰＬＯＲ３０Ｂ層を溶解する希釈顕色剤を用いて実行する。
【０１００】
上記に略述した技術を使用すると、約５０〜２５０μｍのオーダーの長さを有する微粒子を入手できる。典型的な微粒子の寸法は下記の通りである：
長さ  ＜１００μｍ
幅        ３０μｍ
厚さ      ２０μｍ
ケミカルライブラリーに使用するためには、それらが下流プロセシングの際に受けることが予想される、化学および生化学に高感受性であることを保証するために微粒子の機能化が不可欠である。機能化は、例えばプラズマエッチングのようないずれかの適切な化学的手段もしくはガス手段、たとえば、検体もしくは他の前駆物質種を付着させるために微粒子表面へ望ましい化学基を効果的に付与する手段によって実行できる。
【０１０１】
例えば、上記に記載した微粒子は、ＤＮＡ、より詳細には検出することが所望されるＤＮＡに関連するオリゴヌクレオチドの付着を可能にするように機能化することができる。機能化の第１ステップでは、微粒子はＨＭＤＳ（ヘキサメチルジシラザン）、その後微粒子のヒドロキシル化表面上に自己集合フィルムを形成する例えばＮ−２−アミノエチル−３−アミノプロピル−トリメトキシシランなどの有機シランを用いてシラン処理する。未改変オリゴヌクレオチドはシラノール基に直接カップリングすることができないので、表面はさらにＮ−ヒドロキシスクシンイミドエステル−ビオチン複合体であるＮＨＳ−ビオチンを用いて機能化することができる。これはシランフィルムによって提示されるアミノ基の表面に付着する。ビオチン分子を、その後タンパク質であるストレプトアビジンと反応させる。その後ストレプトアビジンを使用して、強力な非共有相互作用を形成するためにビオチニル化ＤＮＡと結合させる。この相互作用は、非特異的ハイブリダイゼーションを最小限に抑えるために後のステップで必要とされるストリンジェントな洗浄に抵抗できるほど十分に強力である。
【０１０２】
より詳細には、シラン沈着は、ＨＭＤＳ中でビーズをリンスし、５０℃で３０分間硬化させることによって実行できる。室温で乾燥アセトン中の２％ＴＭＳ（Ｎ−２−アミノエチル−３−アミノプロピル−トリメトキシシラン）を約２分かけて添加する。ビーズを乾燥アセトン中でリンスし、そして乾燥する。
【０１０３】
ビオチンを用いる機能化のステップにおいて、粒子は、２５０μＬのジメチルスルホキシド（ＤＭＳＯ）に溶解させた１ｍｇのＮＨＳ−ビオチン中に浸漬させ、静かに撹拌する。４時間後、粒子を、ＤＭＳＯ中で２回、その後リン酸緩衝化生理食塩液中で洗浄する。
【０１０４】
上記の手順に従った後、化学物質の結合をＦＩＴＣ−ストレプトアビジン結合体の付着を介して評価した。１００μｇ／ｍのＬストレプトアビジン溶液を、０．５％のＴｗｅｅｎ（トウィーン）−２０が添加されたリン酸緩衝化生理食塩液中に再懸濁させた。Ｔｗｅｅｎ−２０は界面活性剤である。ストレプトアビジン溶液をその粒子と一緒に２時間インキュベートした。その後０．５％のＴｗｅｅｎ−２０が添加されたリン酸緩衝化生理食塩液（ＰＢＳＴ）中でさらに粒子を２時間撹拌することによって、非特異的に結合したストレプトアビジンを除去した。
【０１０５】
ハイブリダイゼーションアッセイのために、ストレプトアビジンをビオチニル化表面に結合させた。上記の蛍光ストレプトアビジンアッセイにおけると同様に、０．０５％  ＰＢＳＴ中のストレプトアビジン溶液１００μｇ／ｍＬを室温で撹拌しながら粒子と一緒に２時間インキュベートした。この後に、非特異的に結合したストレプトアビジンを除去するためにＰＢＳＴを用いて２時間洗浄した。
【０１０６】
アミノ改変オリゴヌクレオチドを付着させる代替の方法は、例えば塩化シアヌルのようなホモ二官能架橋剤を使用する方法である。これらの方法は、単に例としてのみ役立ち、粒子への分子の付着を達成するできる他の複数の方法がある。
【０１０７】
ＮＨＳ−ビオチンおよびストレプトアビジンを用いた粒子の機能化に引き続いて、ビオチニル化ＤＮＡを付着させた。各セットが他方に対して完全適応である２セットのオリゴヌクレオチドを調製した。オリゴヌクレオチドセットは長さが１２ヌクレオチドであった。１セットは、粒子に固定されたビオチニル化オリゴヌクレオチド１個を含有していたが、相補的オリゴヌクレオチドを含有する他方のセットはフルオレセインを用いて標識した。これら２セットは、その後ハイブリダイゼーションのために適切な溶解条件で一緒に混合されて、システムの実行可能性を試験した。
【０１０８】
より詳細には、１セットのビオチニル化オリゴヌクレオチドを、１０ｍＭ  トリスＨＣｌ、１ｍＭ  ＥＤＴＡおよび２Ｍ  ＮａＣｌ中で１００ｐＭの濃度で３０℃で粒子と一緒に２０分間インキュベートした。この後に１回は結合のために使用したトリス緩衝液中で、その後は脱イオン水を用いた洗浄による２回の洗浄ステップを実施した。
【０１０９】
蛍光標識を有する他のセットのオリゴヌクレオチドは、粒子結合オリゴヌクレオチドと一緒にｐＨ８．５の５０ｍＭ  トリス、１８ｍＭ  ＥＤＴＡおよび０．１％  Ｔｒｉｔｏｎ（トリトン）中で２９℃の室温で３０分間インキュベートした。これはオリゴヌクレオチドセットのハイブリダイゼーションのために最適であった。
【０１１０】
任意の非結合ＤＮＡを除去し、バックグラウンド蛍光を減少させるために粒子を２回洗浄した。粒子は蛍光顕微鏡下で視認し、さらに結合ＤＮＡの存在を測定することを可能にするための、下記で説明するセットアップを使用して蛍光を検出した。粒子の表面上の蛍光の存在は、ハイブリダイゼーションが発生したことを示しており、これはこのアプローチの実行可能性を確証している。
【０１１１】
微粒子の蛍光画像は、顕微鏡、２５  Ｍｗ  ４８８ｎｍのアルゴンイオンレーザーおよびＣＣＤカメラを用いて入手した。レーザー光線を焦点距離が５０ｃｍのレンズによって分散させ、調整可能な鏡を備えた顕微鏡のエピイルミネーションシステム内へ結合させた。安全のために接眼レンズを取り除き、４８８ｎｍの主光線を除去するために光路に７層の５５０ｎｍ帯域干渉フィルターを備えたＣｏｈｕ集積化ＣＣＤカメラに取り替えた。このカメラを、カメラの集積特徴を制御するための機能を含んでいるマッキントッシュ（Ｍａｃｉｎｔｏｓｈ）製Ｑｕａｄｒａ  ８００コンピュータ内のＳｃｉｏｎ  Ｌｇ−３  Ｎｕｂｕｓフレームグラバーに接続した。この粒子取扱いおよび検出システムでは、フローセルを画像描出するために顕微鏡を使用する。フローサイトメーターを、ビーズを取り扱うために修正し、ビーズを１秒当たり約１メートルの速度でシステムを通して流した。ビーズ上の最小構造より小さなスポットサイズを有する任意の照明源を使用できるが、この例ではアルゴンイオンレーザー（４８８ｎｍ）の光線を使用した。ビーズからの前方および側方散乱信号は、光ダイオード／光電子増倍管装置を使用して検出した。
【０１１２】
ここで図８を参照すると、画像（ａ）および（ｂ）は、２種の相違してコード化された粒子から入手された出力トレースを示している。これらは吸収トレースであるので、従ってトレース内の谷部分は、微粒子の表面上の突起と一致している。
【０１１３】
上記に記載した微粒子の変形では、ＮｉＣｒもしくはその他の反射コーティングを有する粒子が作製される。反射コーティングを有する微粒子が、本明細書中に記載された検出システムを使用して検出される場合は、吸収パターンの代わりに反射パターンを追跡できる。反射パターンでは、トレース内のクレスト（頂点）が微粒子表面上の突起と一致し、トレース内の谷は、微粒子表面のくぼみに対応する。
【０１１４】
上記のプロセスにおいて使用するために適合するフォトリソグラフィー用マスクは、各々が多数のコードを含有する多数の領域に区分されている。各ビーズパターンは、１４ビットおよび７μｍの構造からなる。このために典型的なビーズの長さは約９８μｍである。１４ビットは１６，３８４コードの合計コード間隔（ｃｏｄｅ  ｓｐａｃｅ）をもたらすが、この数値をより少数のコードにする多数のエンハンスメント構造がある。１端は低下されたコードスペースで終わるが、明白な利益が得られる。
【０１１５】
下記の３つのエンハンスメントは検出においてエラーの可能性が低下されている領域において明白な利点を与える：
−  最高数の連続ＤＣビットは４であるように選択されており、これは元の１６，３８４のコード間隔を１１，０７２へ減少させる。
【０１１６】
−  パリティ制約が使用される。これは、ビットのいずれか１つのをその補数へ変更し得ることを意味しており、その結果として有効コードではなくなる。これはあらゆる有効コードにおいて例えば偶数もしくは奇数または０もしくは１の個数（０’ｓ  ｏｒ  １’ｓ）のような制約を設定する。我々は、１の数が常に偶数であるように１ビットに偶数パリティを選択した。これは１１，０７２のコード間隔を５，５３６に低下させる効果を有している。
【０１１７】
−  読取センスを実行させる反転の除去。セット内の任意の所定のコードに対しては、逆コードが省略されるので、従ってコードが３２１と読み取れる場合は、１２３がコード間隔から削除されているので、それは３２１のみであり得る。これらの除去は５，５３６のコード間隔を２，７２４に低下する。
【０１１８】
下記は取扱いおよびエラー検出の領域において明白な利点を付与する：
−  重複性（ｒｅｄｕｎｄａｎｃｙ）−重複コードの数。ビーズのレイアウトは、２，７２４個の個別および連続コードが寸法がほぼ５ｍｍ×２０ｍｍの長方形内に結合されているように設計することができる。この寸法は、取り扱いに留意して選択される。すなわち、ビーズの製造およびウエハー・ダイシング後に長方形を１．５ｍＬチューブ（エッペンドルフ型もしくは類似物）内に配置できることに留意する。この構造の導入は、完全な１セットのビーズを遠心分離を受け易い少量内に含めることができることを意味している。１３，６２０個のビーズをこの５ｍｍ×２０ｍｍの長方形に適合させ、従って１コード当たり５の重複値を提供することが可能である。
【０１１９】
−  このコードはさらに８８個の‘パリンドローム’を生成する、すなわちコードは左から右へまたは右から左へ読んでも同一に読み取れる。これの例は、００００１００００１００００である。８８個のパリンドロームは、コードスペースから分離されており、試験およびエラーチェック目的のために使用される。
【０１２０】
上記では本発明を特定実施形態を参照しながら説明してきたが、当業者には特許請求の範囲から逸脱することなく変更および改変が可能であることは理解されるであろう。
【０１２１】
下記において、本発明の現在好ましい実施形態の添付の図面を参照して、例示のためのみに説明する。
【図面の簡単な説明】
【図１】ＵＶ剥離フィルム上の１シートのポリマー材料の一部分の断面図である。
【図２】コード化された粒子の一例の平面図である。
【図３】ＵＶ剥離フィルム上の書き込まれたポリマー材料シートの一区画の断面図である。
【図４】従来型マイクロタイタープレートの最下層上のＵＶ剥離フィルム上の書き込まれたポリマー材料シートの一区画の断面図である。
【図５】ＵＶ剥離フィルム上の書き込まれたポリマー材料シートが組み込まれている従来型マイクロタイタープレートの平面図である。
【図６】図５に記載された従来型マイクロタイタープレートの一部の側面図である。
【図７】マイクロタイタープレートからビーズを除去するための手段と一緒に、図５および図６に記載された従来型マイクロタイタープレートの側面図の略図である。
【図８】コード読取装置からの読出しを示している。
【国際公開パンフレット】
2004501344.tif 000003
2004501344.tif 000004
2004501344.tif 000005
2004501344.tif 000006
2004501344.tif 000007
2004501344.tif 000008
2004501344.tif 000009
2004501344.tif 000010
2004501344.tif 000011
2004501344.tif 000012
2004501344.tif 000013
2004501344.tif 000014
2004501344.tif 000015
2004501344.tif 000016
2004501344.tif 000017
2004501344.tif 000018
2004501344.tif 000019
2004501344.tif 000020
2004501344.tif 000021
2004501344.tif 000022
2004501344.tif 000023
2004501344.tif 000024
2004501344.tif 000025
2004501344.tif 000026
2004501344.tif 000027
2004501344.tif 000028
2004501344.tif 000029
2004501344.tif 000030
2004501344.tif 000031
2004501344.tif 000032
2004501344.tif 000033
2004501344.tif 000034
2004501344.tif 000035
2004501344.tif 000036
2004501344.tif 000037
2004501344.tif 000038
2004501344.tif 000039
2004501344.tif 000040
2004501344.tif 000041
【国際公開パンフレット（コレクトバージョン）】
2004501344.tif 000042
【国際調査報告】
2004501344.tif 000043
2004501344.tif 000044